(57)【要約】【課題】無線により画像を伝送する前にファイルを変換する必要がない上、伝達効率を高めて全体のアーキテクチャを簡素にすることができる無線画像伝送装置を提供する。【解決手段】無線画像伝送装置は、画像処理本体１と、画像処理本体１と電気的に接続された画像表示ユニット２と、画像処理本体１と画像表示ユニット２との間に電気的に接続された第１の切換ユニット５と、第１の切換ユニット５と電気的に接続された撮影制御ユニット３と、撮影制御ユニット３と電気的に接続された無線伝送ユニット４とを備える。画像処理本体１は、撮像ユニット１１、処理ユニット１２、メモリユニット１３及び電力ユニット１４を有する。撮像ユニット１１、メモリユニット１３及び電力ユニット１４は、処理ユニット１２と電気的に接続される。第１の切換ユニット５は、処理ユニット１２と電気的に接続される。【選択図】図１
0003178883.tif 000002
【実用新案登録請求の範囲】
【請求項１】
画像処理本体と、
前記画像処理本体と電気的に接続された画像表示ユニットと、
前記画像処理本体と前記画像表示ユニットとの間に電気的に接続された第１の切換ユニットと、
前記第１の切換ユニットと電気的に接続された撮影制御ユニットと、
前記撮影制御ユニットと電気的に接続された無線伝送ユニットと、を備えることを特徴とする無線画像伝送装置。
【請求項２】
前記撮影制御ユニットと前記無線伝送ユニットとの間に電気的に接続されるとともに、前記画像処理本体と電気的に接続された第２の切換ユニットを更に備える請求項１に記載の無線画像伝送装置。
【請求項３】
前記撮影制御ユニットが、カムコントローラである請求項１から２のいずれかに記載の無線画像伝送装置。
【請求項４】
前記画像処理本体が、撮像ユニット、処理ユニット、メモリユニット及び電力ユニットを有し、
前記撮像ユニット、前記メモリユニット及び前記電力ユニットが、前記処理ユニットと電気的に接続され、
前記第１の切換ユニットが、前記処理ユニットと電気的に接続される請求項１及び３のいずれかに記載の無線画像伝送装置。
【請求項５】
前記画像処理本体が、撮像ユニット、処理ユニット、メモリユニット及び電力ユニットを有し、
前記撮像ユニット、前記メモリユニット及び前記電力ユニットが、前記処理ユニットと電気的に接続され、
前記第１の切換ユニット及び前記第２の切換ユニットが、前記処理ユニットと電気的に接続される請求項２に記載の無線画像伝送装置。
【考案の詳細な説明】
【技術分野】
【０００１】
本考案は、無線画像伝送装置に関し、特に、無線により画像を伝送する前に、ファイルを変換する必要がない無線画像伝送装置に関する。
【背景技術】
【０００２】
現在、撮像装置が広く普及し、無線画像伝送技術が非常に発達しているが、無線方式により取り込んだ画像を遠隔の電子装置に伝送する際、ＳＤＩＯ（Ｓｅｃｕｒｅ  Ｄｉｇｉｔａｌ  Ｉｎｐｕｔ  Ｏｕｔｐｕｔ）インタフェースを利用する必要があった。また、インタフェースを使用して無線により画像を伝送する前に画像を変換し、その後、圧縮処理を行ってから無線方式（例えば、ワイヤレスフィディリティー（Ｗｉｒｅｌｅｓｓ  Ｆｉｄｅｌｉｔｙ）（登録商標））を利用して遠隔の電子装置へ伝送する必要がある。遠隔の電子装置は、画像を受け取ると解凍した後にファイル変換を行って再生する。そのため、従来の無線画像伝送方式では、画像変換により伝達効率が低くなる上、画像変換のためのアーキテクチャが複雑となる虞があった。
【０００３】
そのため、無線により画像を伝送する前にファイルを変換する必要がない上、伝達効率を高めて全体のアーキテクチャを簡素にすることができる無線画像伝送装置が求められていた。
【考案の概要】
【考案が解決しようとする課題】
【０００４】
本考案の目的は、無線により画像を伝送する前にファイルを変換する必要がない上、伝達効率を高めて全体のアーキテクチャを簡素にすることができる無線画像伝送装置を提供することにある。
【課題を解決するための手段】
【０００５】
前記課題を解決するために、本考案の第１の形態によれば、画像処理本体と、前記画像処理本体と電気的に接続された画像表示ユニットと、前記画像処理本体と前記画像表示ユニットとの間に電気的に接続された第１の切換ユニットと、前記第１の切換ユニットと電気的に接続された撮影制御ユニットと、前記撮影制御ユニットと電気的に接続された無線伝送ユニットと、を備えることを特徴とする無線画像伝送装置が提供される。
【０００６】
また、前記撮影制御ユニットと前記無線伝送ユニットとの間に電気的に接続されるとともに、前記画像処理本体と電気的に接続された第２の切換ユニットを更に備えることが好ましい。
【０００７】
また、前記撮影制御ユニットは、カムコントローラであることが好ましい。
【０００８】
また、前記画像処理本体は、撮像ユニット、処理ユニット、メモリユニット及び電力ユニットを有し、前記撮像ユニット、前記メモリユニット及び前記電力ユニットは、前記処理ユニットと電気的に接続され、前記第１の切換ユニットは、前記処理ユニットと電気的に接続されることが好ましい。
【０００９】
また、前記画像処理本体は、撮像ユニット、処理ユニット、メモリユニット及び電力ユニットを有し、前記撮像ユニット、前記メモリユニット及び前記電力ユニットは、前記処理ユニットと電気的に接続され、前記第１の切換ユニット及び前記第２の切換ユニットは、前記処理ユニットと電気的に接続されることが好ましい。
【考案の効果】
【００１０】
本考案の無線画像伝送装置は、無線により画像を伝送する前にファイル変換する必要がない上、伝達効率を高めて全体のアーキテクチャを簡素にすることができる。
【図面の簡単な説明】
【００１１】
【図１】図１は、本考案の第１実施形態に係る無線画像伝送装置を示すブロック図である。
【図２】図２は、本考案の第２実施形態に係る無線画像伝送装置を示すブロック図である。
【考案を実施するための形態】
【００１２】
以下、本考案の実施形態について図に基づいて説明する。なお、これによって本考案が限定されるものではない。
【００１３】
（第１実施形態）
図１を参照する。図１に示すように、本考案の第１実施形態に係る無線画像伝送装置は、画像処理本体１、画像表示ユニット２、第１の切換ユニット５、撮影制御ユニット３及び無線伝送ユニット４を含む。
画像表示ユニット２は、画像処理本体１と電気的に接続され、画像処理本体１が伝送する静止画像（例えば、写真）又は動的画像（例えば、動画）を表示するために用いる。画像表示ユニット２は液晶表示装置でもよい。
第１の切換ユニット５は、画像処理本体１と画像表示ユニット２との間に電気的に接続されている。
撮影制御ユニット３は、第１の切換ユニット５と電気的に接続されている。第１の切換ユニット５は、切換スイッチでもよく、ユーザは、第１の切換ユニット５により画像処理本体１に記憶した画像、又はリアルタイムで取り込んだ画像を選択し、画像表示ユニット２又は撮影制御ユニット３へ伝送する。画像処理本体１が画像表示ユニット２及び撮影制御ユニット３へ伝送する画像形式は同じである。
無線伝送ユニット４は、撮影制御ユニット３と電気的に接続され、撮影制御ユニット３を介して画像処理本体１により伝送される画像は、ファイル変換を行わずに圧縮処理だけを行い、無線伝送ユニット４を介して遠隔の電子装置（図示せず）へ無線伝送（例えば、ワイヤレスフィディリティー）する。遠隔の電子装置は、ファイル変換を行わずに解凍処理を行うだけで直接再生することができる。そのため、本考案の無線画像伝送装置は、無線により画像を伝送する前に、ファイル変換を行う必要がないため、伝達効率が高い上、全体のアーキテクチャを簡素にすることができる。
【００１４】
（第２実施形態）
図２を参照する。図２に示すように、本考案の第２実施形態に係る無線画像伝送装置は、第２の切換ユニット６を更に含む。
第２の切換ユニット６は、撮影制御ユニット３と無線伝送ユニット４との間に電気的に接続され、画像処理本体１は、第２の切換ユニット６と電気的に接続される。第２の切換ユニット６は、切換スイッチでもよく、ユーザは、第２の切換ユニット６により画像処理本体１に記憶した画像、又はリアルタイムで取り込んだ画像を選択し、ファイル変換して圧縮処理を行い、無線伝送ユニット４を介して遠隔の電子装置へ無線伝送する。そのため、ユーザは、第２の切換ユニット６により付加的な画像伝送を選択することができる。
【００１５】
上述の撮影制御ユニット３は、例えば、ウェブカメラコントローラ（ｗｅｂｃａｍ  ｃｏｎｔｒｏｌｌｅｒ）などのカムコントローラ（ｃａｍ  ｃｏｎｔｒｏｌｌｅｒ）でもよい。撮影制御ユニット３は、画像処理本体１に記憶した画像、又はリアルタイムで取り込んだ画像のファイル変換を行わずに、圧縮処理を行うだけで、無線伝送ユニット４を介して遠隔の電子装置へ無線により転送する。遠隔の電子装置は、ファイルの変換を行わなくとも解凍処理を行うだけで、直接再生することができる。
【００１６】
上述の画像処理本体１は、撮像ユニット１１、処理ユニット１２、メモリユニット１３及び電力ユニット１４を有する。撮像ユニット１１、メモリユニット１３及び電力ユニット１４は、処理ユニット１２と電気的に接続される。第１の切換ユニット５は、処理ユニット１２と電気的に接続される。
撮像ユニット１１は、ＣＣＤ（Ｃｈａｒｇｅ  Ｃｏｕｐｌｅｄ  Ｄｅｖｉｃｅ：ＣＣＤ）又はＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ：ＣＭＯＳ）でもよい。
処理ユニット１２は、中央処理装置（Ｃｅｎｔｒａｌ  Ｐｒｏｃｅｓｓｉｎｇ  Ｕｎｉｔ：ＣＰＵ）及び画像処理に関する電子部品及び電子回路を有してもよい。またメモリユニット１３は、ハードディスク又はメモリでもよい。電力ユニット１４は、内蔵電源又は外付け電源でもよい。
第１の切換ユニット５は、切換スイッチでもよく、ユーザは、第１の切換ユニット５を利用して画像処理本体１に記憶した画像又はリアルタイムで取り込んだ画像を処理ユニット１２により選択し、画像表示ユニット２又は撮影制御ユニット３へ伝送する。上述の第２の切換ユニット６は、処理ユニット１２と電気的に接続されてもよい。第２の切換ユニット６は、切換スイッチでもよく、第２の切換ユニット６を使用することによりユーザは、画像処理本体１に記憶した画像、又はリアルタイムで取り込んだ画像を処理ユニット１２により選択し、ファイルを変換したり圧縮処理方式により無線伝送ユニット４から遠隔の電子装置へ無線伝送したりしてもよい。
【００１７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１８】
１      画像処理本体
２      画像表示ユニット
３      撮影制御ユニット
４      無線伝送ユニット
５      第１の切換ユニット
６      第２の切換ユニット
１１      撮像ユニット
１２      処理ユニット
１３      メモリユニット
１４      電力ユニット
【図１】
0003178883.tif 000003
【図２】
0003178883.tif 000004